(57)【要約】【課題】  動画像コンテンツの再生操作だけでなく、静止画像コンテンツの再生操作を直感的に行うことを可能とする。【解決手段】  ビデオ記録再生処理部４０はビデオコンテンツを再生し、Ｗｅｂコンテンツ処理部６０は、例えば、再生したＷｅｂページのデータから、次に表示させる他のＷｅｂページを指示する指示情報を自動的に選択して対応するＷｅｂページを再生することで、複数のＷｅｂページを一定時間間隔で連続的に再生出力する。主制御部２０は、入力変換テーブル２１に基づき、ビデオ記録再生処理部４０によるビデオコンテンツの再生動作と、Ｗｅｂコンテンツ処理部６０によるＷｅｂコンテンツの連続再生動作とを、同じ操作キー群に対する入力操作に応じて入力される信号に基づいて制御する。【選択図】  図２
2005184728.tif 000002
【特許請求の範囲】
【請求項１】
動画像コンテンツおよび静止画像コンテンツの記録媒体への記録と、前記各コンテンツの再生とを実行することが可能な画像記録再生装置において、
前記動画像コンテンツを再生する動画像コンテンツ再生手段と、
複数の前記静止画像コンテンツを一定時間間隔で連続的に再生する静止画像コンテンツ再生手段と、
前記動画像コンテンツ再生手段による再生動作と、前記静止画像コンテンツ再生手段による連続再生動作とを、同じ操作キー群に対する入力操作に応じて入力される信号に基づいて制御する動作制御手段と、
を有することを特徴とする画像記録再生装置。
【請求項２】
前記操作キー群は、前記動画像コンテンツの再生動作を開始させるための第１の操作キーと、前記動画像コンテンツを順方向および逆方向に対してそれぞれ通常より高速で再生させるための第２および第３の操作キーと、前記動画像コンテンツを順方向および逆方向に対してそれぞれ一定時間分だけ経過した位置から再生を開始させるための第４および第５の操作キーと、前記動画像コンテンツの再生動作を同一フレームの画像の再生出力を継続させた状態で一時的に停止させるための第６の操作キーとを含み、
前記静止画像コンテンツの連続再生動作を実行する場合には、前記第１の操作キーにより連続再生動作が開始され、前記第２および第３の操作キーによりそれぞれ順方向および逆方向に隣接する前記静止画像コンテンツが再生されるまでの時間間隔が通常より短く設定され、前記第４および第５の操作キーによりそれぞれ順方向および逆方向に隣接する前記静止画像コンテンツを再生させ、前記第６の操作キーにより同一の前記静止画像コンテンツの再生出力を継続させた状態で連続再生動作を一時的に停止させることが可能とされたことを特徴とする請求項１記載の画像記録再生装置。
【請求項３】
前記動作制御手段は、前記静止画像コンテンツを再生させる動作モードがユーザ操作により選択されると、前記静止画像コンテンツ再生手段に前記静止画像コンテンツの連続再生動作を自動的に開始させることを特徴とする請求項１記載の画像記録再生装置。
【請求項４】
前記静止画像コンテンツがＷｅｂページである場合に、
前記静止画像コンテンツ再生手段は、再生したＷｅｂページのデータから、次に表示させる他のＷｅｂページを指示する指示情報を自動的に選択して、選択した前記指示情報に対応するＷｅｂページを再生することで、連続再生動作を実行することを特徴とする請求項１記載の画像記録再生装置。
【請求項５】
前記静止画像コンテンツ再生手段は、再生したＷｅｂページのデータから、前記指示情報を選択する際の優先順位を示す順位情報を抽出して、前記順位情報を基に次に表示させるＷｅｂページを決定することを特徴とする請求項４記載の画像記録再生装置。
【請求項６】
前記静止画像コンテンツ再生手段は、前記順位情報に基づく優先順位が最も高い前記指示情報を選択して、選択した前記指示情報に対応するＷｅｂページを再生することを特徴とする請求項５記載の画像記録再生装置。
【請求項７】
前記静止画像コンテンツ再生手段により選択された前記指示情報に対応するＷｅｂページのデータを履歴として順次記憶する履歴記憶手段をさらに有し、
前記動作制御手段が、前記操作キー群に対する操作入力に応じて逆方向への前記静止画像コンテンツの連続再生を要求した場合に、前記静止画像コンテンツ再生手段は、前記履歴記憶手段に記憶されたデータを用いて、以前に再生したＷｅｂページを順次再生することを特徴とする請求項４記載の画像記録再生装置。
【請求項８】
動画像コンテンツおよび静止画像コンテンツの記録媒体への記録と、前記各コンテンツの再生とを実行することが可能な画像記録再生装置における画像再生方法において、
動画像コンテンツ再生手段によって前記動画像コンテンツを再生する再生動作と、静止画像コンテンツ再生手段によって複数の前記静止画像コンテンツを一定時間間隔で連続的に再生する連続再生動作とを、動作制御手段により、同じ操作キー群に対する入力操作に応じて入力される信号に基づいて制御することを特徴とする画像再生方法。
【請求項９】
前記静止画像コンテンツがＷｅｂページである場合に、
前記静止画像コンテンツ再生手段は、再生したＷｅｂページのデータから、次に表示させる他のＷｅｂページを指示する指示情報を自動的に選択して、選択した前記指示情報に対応するＷｅｂページを再生することで、連続再生動作を実行することを特徴とする請求項８記載の画像再生方法。
【発明の詳細な説明】
【技術分野】
【０００１】
本発明は、動画像コンテンツおよび静止画像コンテンツを記録媒体に記録し、またこの記録媒体に記録された各コンテンツを再生することが可能な画像記録再生装置、および、このような画像記録再生装置における画像再生方法に関する。
【背景技術】
【０００２】
近年、放送衛星（ＢＳ：Broadcasting Satellite）や通信衛星（ＣＳ：Communication Satellite）などを用いたデジタル放送の普及が進んでおり、これに伴って、デジタル放送を受信可能なデジタル放送受信機が注目されている。また、このようなデジタル放送受信機により受信したコンテンツのデータを、書き込み型のＤＶＤ（Digital Versatile Disk）やＨＤＤ（Hard Disk Drive）などの大容量の記録媒体に記録する画像記録装置も実現されている。
【０００３】
一方、画像を撮像してデジタルデータとして記録可能なデジタルスチルカメラなどの撮像装置も広く普及している。このような撮像装置により記録された静止画像データは、ＰＣ（パーソナルコンピュータ）などに転送されて、このデータに基づく画像のディスプレイ上への表示や印刷が行われることが多い。しかし、最近では、このような静止画像をＰＣを用いずにより手軽に閲覧できるような要求が高まっている。さらに、近年ではインターネットが広く普及し、ＰＣなどでＷｅｂページを閲覧することが一般的になっているが、このようなＷｅｂページについてもより手軽に閲覧できるような要求が高まっている。
【０００４】
このような要求に対して、撮像装置により撮像された静止画像やＷｅｂページといった静止画像コンテンツを、テレビ受像機において表示させることが考えられている。例えば、受信した放送画像をデジタルデータとしてＨＤＤなどの大容量の記録媒体に記録する機能とともに、不揮発性半導体メモリを用いた可搬型のメモリカードのスロットを具備し、デジタルスチルカメラにより撮像され、記録された静止画像のデータをメモリカードを介して取り込み、その静止画像を再生出力することが可能な画像記録再生装置が実現されている。また、通信Ｉ／Ｆ（インタフェース）を具備して、インターネットに接続してＷｅｂページを表示することが可能な画像記録再生装置も実現されている。
【０００５】
さらに、デジタルスチルカメラに信号コネクタを介して接続して、このデジタルスチルカメラに記録された画像データを読み込んで蓄積するとともに、テレビ受像機からの制御信号を信号コネクタを介して受信すると、蓄積された画像データを読み出し、この画像データに基づく静止画像信号をテレビ受像機に出力することで、静止画像を表示させることが可能な画像蓄積装置があった（例えば、特許文献１参照）。また、デジタルスチルカメラ載置部にデジタルスチルカメラを載置すると、このデジタルスチルカメラに記録された画像データを信号コネクタを介して自動的に転送させて、内部の大容量記憶装置に記憶するテレビ受像機もあった（例えば、特許文献２参照）。
【０００６】
また、蓄積された画像については、例えば、それらのサムネイル画像をテレビ受像機の画面上に一覧表示させ、その中から任意の画像データファイルを選択することで再生表示させるのが一般的である。さらに、蓄積された画像データを次々に読み出し、一定時間間隔で連続的に再生表示させるスライドショーと呼ばれる表示方法も実現されている。
【特許文献１】特開２０００−３４１６１４号公報（段落番号〔００５７〕〜〔０１２６〕、図１）
【特許文献２】特開２０００−３５４２２７号公報（段落番号〔０１８３〕〜〔０１８６〕、図５０）
【発明の開示】
【発明が解決しようとする課題】
【０００７】
上述したように、放送を通じて受信された動画像コンテンツを記録媒体に記録し、再生出力する機能とともに、静止画像の再生出力機能やＷｅｂページなどの静止画像コンテンツの表示機能を具備する画像記録装置が実現されている。しかし、このような従来の画像記録装置では、記録された動画像の再生時の操作方法と、静止画像やＷｅｂページなどの静止画像コンテンツの再生時の操作方法とが全く異なっていた。例えば、このような画像記録装置に対する入力操作はリモートコントローラにより行われることが多いが、上記の静止画像コンテンツを表示装置に表示させるために、リモートコントローラ上に、動画像の再生制御用とは別の操作ボタンを設ける、あるいは、メニュー画面やポップアップメニューなどから該当機能を起動させる必要があった。このため、動画像の再生操作に慣れたユーザにとっては、静止画像コンテンツを表示させるために、なじみのない新たな操作を習得したり、その都度画面を切り換える必要があるなど、操作の簡便さやわかりやすさという点で問題であった。
【０００８】
また、Ｗｅｂページを閲覧する際には通常、Ｗｅｂページ上のリンクアンカーをユーザ操作により選択することで次のＷｅｂページを表示させるが、テレビ受像機でＷｅｂページを閲覧する場合、リンクアンカーが存在する位置を特定する操作が容易ではなく、ユーザにとってより快適な操作を可能とすることが要求されていた。
【０００９】
本発明はこのような課題に鑑みてなされたものであり、動画像コンテンツの再生操作だけでなく、静止画像コンテンツの再生操作を直感的に行うことが可能な操作性の高い画像記録再生装置を提供することを目的とする。
【００１０】
また、本発明の他の目的は、動画像コンテンツの再生操作だけでなく、静止画像コンテンツの再生操作を直感的に行うことを可能として、操作性を高めた画像記録再生装置における画像再生方法を提供することである。
【課題を解決するための手段】
【００１１】
本発明では上記課題を解決するために、動画像コンテンツおよび静止画像コンテンツの記録媒体への記録と、前記各コンテンツの再生とを実行することが可能な画像記録再生装置において、前記動画像コンテンツを再生する動画像コンテンツ再生手段と、複数の前記静止画像コンテンツを一定時間間隔で連続的に再生する静止画像コンテンツ再生手段と、前記動画像コンテンツ再生手段による再生動作と、前記静止画像コンテンツ再生手段による連続再生動作とを、同じ操作キー群に対する入力操作に応じて入力される信号に基づいて制御する動作制御手段とを有することを特徴とする画像記録再生装置が提供される。
【００１２】
このような画像記録再生装置では、動画像コンテンツ再生手段により動画像コンテンツが再生され、静止画像コンテンツ再生手段により、複数の静止画像コンテンツが一定時間間隔で連続的に再生される。そして、動作制御手段により、動画像コンテンツ再生手段による再生動作と、静止画像コンテンツ再生手段による連続再生動作とが、同じ操作キー群に対する入力操作に応じて入力される信号に基づいて制御される。
【００１３】
また、例えば、静止画像コンテンツがＷｅｂページである場合には、静止画像コンテンツ再生手段は、再生したＷｅｂページのデータから、次に表示させる他のＷｅｂページを指示する指示情報を自動的に選択して、選択した指示情報に対応するＷｅｂページを再生することで、連続再生動作を実行するようにしてもよい。
【００１４】
また、本発明では、動画像コンテンツおよび静止画像コンテンツの記録媒体への記録と、前記各コンテンツの再生とを実行することが可能な画像記録再生装置における画像再生方法において、動画像コンテンツ再生手段によって前記動画像コンテンツを再生する再生動作と、静止画像コンテンツ再生手段によって複数の前記静止画像コンテンツを一定時間間隔で連続的に再生する連続再生動作とを、動作制御手段により、同じ操作キー群に対する入力操作に応じて入力される信号に基づいて制御することを特徴とする画像再生方法が提供される。
【００１５】
このような画像再生方法では、動画像コンテンツ再生手段により動画像コンテンツが再生され、静止画像コンテンツ再生手段により、複数の静止画像コンテンツが一定時間間隔で連続的に再生される。そして、動作制御手段により、動画像コンテンツ再生手段による再生動作と、静止画像コンテンツ再生手段による連続再生動作とが、同じ操作キー群に対する入力操作に応じて入力される信号に基づいて制御される。
【００１６】
また、例えば、静止画像コンテンツがＷｅｂページである場合には、静止画像コンテンツ再生手段は、再生したＷｅｂページのデータから、次に表示させる他のＷｅｂページを指示する指示情報を自動的に選択して、選択した指示情報に対応するＷｅｂページを再生することで、連続再生動作を実行するようにしてもよい。
【発明の効果】
【００１７】
本発明によれば、動画像コンテンツの再生動作と、静止画像コンテンツの連続再生動作とが、同じ操作キー群に対する入力操作に応じて入力される信号に基づいて制御されるので、動画像の再生動作を制御するための操作に慣れたユーザは、静止画像コンテンツの再生動作の制御操作を直感的に行うことができる。また、動画像コンテンツの再生動作制御用と、静止画像コンテンツの再生動作制御用とで個別の操作キーを設ける必要がなくなる。
【００１８】
また、例えば、静止画像コンテンツがＷｅｂページである場合には、静止画像コンテンツ再生手段は、再生したＷｅｂページのデータから、次に表示させる他のＷｅｂページを指示する指示情報を自動的に選択して、選択した指示情報に対応するＷｅｂページを再生することで、連続再生動作を実行するようにしてもよい。これにより、ユーザは、Ｗｅｂページの再生動作制御を、動画像コンテンツの再生動作制御時とほぼ同じ感覚で操作することが可能となる。
【発明を実施するための最良の形態】
【００１９】
以下、テレビ放送を受信して動画像信号を表示装置に出力するとともに、受信した動画像をデジタルデータとして記録媒体に記録し、また読み出して再生出力することが可能な画像記録再生装置に、本発明を適用した場合を想定して説明する。
【００２０】
図１は、本発明の実施の形態に係る画像記録再生装置の内部構成を示すブロック図である。
図１では、例としてデジタル放送を受信して記録することが可能な画像記録再生装置の構成を示している。この画像記録再生装置は、チューナ１、復調部２、ＤＭＵＸ（Demultiplexer）３、ＭＰＥＧ（Moving Picture Experts Group）デコーダ４、画像出力処理回路５、音声出力処理回路６、ＣＰＵ（Central Processing Unit）７、ＲＯＭ（Read Only Memory）８、ＲＡＭ（Random Access Memory）９、メモリカードＩ／Ｆ（インタフェース）１０、ＨＤＤ１１、光ディスクドライブ１２、入力Ｉ／Ｆ１３、通信Ｉ／Ｆ１４、画像処理回路１５、および内部バス１６を具備する。また、メモリカードＩ／Ｆ１０には、不揮発性半導体メモリからなる着脱可能なメモリカード１０ａが装着され、光ディスクドライブ１２には、読み出し専用、あるいは書き込み可能なＤＶＤ、ＣＤなどの着脱可能な光ディスク媒体１２ａが装着される。
【００２１】
チューナ１は、外部のアンテナにより受信された放送電波の入力を受けて、ＣＰＵ７からの指示に従って所定の搬送周波数の信号を選択し、選択した受信信号を復調部２に出力する。放送電波は、例えば地上波、あるいはＢＳ、ＣＳにより中継された衛星波でもよい。また、有線ケーブルを通じて放送信号を受信してもよい。
【００２２】
復調部２は、チューナ１からの放送信号に対してＱＰＳＫ（Quadrature Phase Shift Keying）復調および誤り訂正処理を施して、トランスポートストリームをＤＭＵＸ３に出力する。なお、スクランブル処理された放送信号を受信した場合には、チューナ１からの受信信号から番組視聴の契約情報を抽出してＣＰＵ７に転送し、ＣＰＵ７の制御により視聴可能と判断されたトランスポートストリーム内のデータに対して、ＣＰＵ７から供給されるキー情報を用いてデスクランブル処理を施す。
【００２３】
ＤＭＵＸ３は、復調部２から供給されたトランスポートストリームから、動画像データ、音声データ、ＥＰＧ（Electronic Program Guide）などのデータ放送用の付加情報などを分離する。本実施の形態では、動画像データおよび音声データは、ＭＰＥＧ方式により符号化された動画像ストリームおよび音声ストリームとして供給され、ＤＭＵＸ３において分離されてＭＰＥＧデコーダ４に供給される。また、ＤＭＵＸ３は、分離した動画像ストリームおよび音声ストリームを、内部バス１６を介してＨＤＤ１１や光ディスクドライブ１２に供給することもできる。また、分離したデータ放送用の付加情報は、内部バス１６を通じてＣＰＵ７に供給される。
【００２４】
ＭＰＥＧデコーダ４は、ＣＰＵ７の制御の下で、ＤＭＵＸ３や、ＨＤＤ１１、光ディスクドライブ１２から供給された動画像ストリームおよび音声ストリームを、ＭＰＥＧ方式に従って伸張復号化処理する。復号化された動画像データは、画像出力処理回路５に出力され、音声データは音声出力処理回路６に出力される。なお、ＭＰＥＧデコーダ４は、処理時の作業領域として専用のメモリ４ａを具備してもよい。
【００２５】
画像出力処理回路５は、ＭＰＥＧデコーダ４により復号化された動画像データや、ＣＰＵ７により復号化された静止画像データ、生成されたＷｅｂページの画像データに、画像処理回路１５により生成されたＧＵＩ（Graphical User Interface）画像やＯＳＤ（On Screen Display）画像のデータを必要に応じて合成し、さらに例えばＮＴＳＣ（National Television Standards Committee）方式のアナログ画像信号に変換して、外部のディスプレイなどに出力する。
【００２６】
音声出力処理回路６は、ＭＰＥＧデコーダ４により復号化された音声データに、ＣＰＵ７の処理により出力された、入力操作に対する付加音のデータを必要に応じて合成し、さらにアナログ音声信号に変換して、外部のアンプなどに出力する。
【００２７】
ＣＰＵ７は、ＲＯＭ８やＨＤＤ１１に格納されたプログラムを実行することにより、画像記録再生装置内の各部を制御する。また、静止画像データの伸張復号化やリサイズ、フォーマット変換などの処理、さらにインターネットを通じて受信したＷｅｂページのデータのブラウズ処理などを実行する。
【００２８】
ＲＯＭ８には、ＯＳ（Operating System）やＢＩＯＳ（Basic Input／Output System）、アプリケーションプログラム、その他の各種データがあらかじめ格納される。ＲＡＭ９は、ＣＰＵ７に実行させるプログラムの少なくとも一部や、このプログラムによる処理に必要な各種データを一時的に記憶する。
【００２９】
メモリカードＩ／Ｆ１０は、メモリカード１０ａが装着される図示しないカードスロットを具備し、このカードスロットに装着されたメモリカード１０ａに対するデータの書き込みおよび読み出しの動作を制御するＩ／Ｆ回路である。装着されたメモリカード１０ａには、外部のデジタルスチルカメラやＰＣなどから転送された静止画像データなどが記録されている。
【００３０】
ＨＤＤ１１は、長時間の動画像データを記録することが可能な、例えば１００ＧＢｙｔｅといった比較的大容量の記憶装置であり、ＣＰＵ７により指定されるコマンドやアドレス情報に基づいてデータの書き込みおよび読み出しの動作を行う。ＨＤＤ１１には、動画像ストリームや音声ストリームなどの放送コンテンツのデータやデータ放送用の付加情報、メモリカード１０ａから読み出された静止画像データ、インターネットを通じて受信されたＷｅｂページのデータなどが記録される。また、ＨＤＤ１１には、ＣＰＵ７により実行されるプログラムや実行に必要なデータなどが記憶されてもよい。
【００３１】
光ディスクドライブ１２は、光ディスク媒体１２ａが装着されてデータの読み取り・書き込みが行われるドライブ装置や駆動回路などを具備する。光ディスク媒体１２ａには、この画像記録再生装置、あるいは他の装置において受信された放送コンテンツのデータなどが記録される。
【００３２】
入力Ｉ／Ｆ１３は、例えば、外部のリモートコントローラ１００からの赤外線信号を受信する受信回路や、ユーザがマニュアル操作を行うための操作キーなどを具備し、ユーザの入力操作に応じた制御信号をＣＰＵ７に対して供給する。
【００３３】
通信Ｉ／Ｆ１４は、インターネットに接続して通信を行うためのＩ／Ｆ回路であり、具体的には、例えばＬＡＮ（Local Area Network）に接続するためのＩ／Ｆ回路として設けられ、外部のネットワーク接続機器を介してインターネットに接続する。
【００３４】
画像処理回路１５は、ＣＰＵ７からの要求に応じて、受信したテレビ映像の視聴や、各種記録媒体を用いた画像や音声の記録・再生、Ｗｅｂページの視聴などを行うためのＧＵＩ画像や、各種情報を表示するためのＯＳＤ画像などのデータを生成し、画像出力処理回路５に出力する。
【００３５】
ここで、この画像記録再生装置における基本的な動作について説明する。
本実施の形態の画像記録再生装置では、大別して、放送電波により受信した動画像および音声からなる放送コンテンツと、ＨＤＤ１１や光ディスク媒体１２ａに記録された動画像・音声からなるビデオコンテンツと、メモリカード１０ａやＨＤＤ１１などに記録された静止画像（以下、フォトコンテンツと呼称する）と、通信Ｉ／Ｆ１４を介して受信されるＷｅｂページ（以下、Ｗｅｂコンテンツと呼称する）とを出力することが可能となっている。また、放送コンテンツには、動画像や音声とともに受信されたデータ放送用の付加情報などを含んでもよい。そして、受信した放送コンテンツは、ＨＤＤ１１や光ディスク媒体１２ａに記録することができ、記録されたコンテンツもビデオコンテンツとされる。
【００３６】
ユーザがデジタル放送の放送コンテンツを視聴する際には、ＣＰＵ７は、入力Ｉ／Ｆ１３からの制御信号に基づいて選局情報をチューナ１に出力し、チューナ１は、入力された選局情報に応じた搬送周波数の受信信号を選局し、復調部２に出力する。復調部２では、チューナ１から放送信号に対してＱＰＳＫ復調および誤り訂正処理が施され、処理後のトランスポートストリームから、ＤＭＵＸ３において動画像ストリーム、音声ストリーム、データ放送用の付加情報が分離される。
【００３７】
分離された動画像ストリームおよび音声ストリームは、ＭＰＥＧデコーダ４により伸張復号化処理される。復号化された動画像ストリームは、画像出力処理回路５を介して例えば外部のディスプレイに出力され、これにより受信した放送画像が表示される。また、音声ストリームは、音声出力処理回路６を介して例えば外部のアンプに出力され、スピーカから音声が出力される。
【００３８】
なお、スクランブル処理された放送信号を受信する場合には、チューナ１からの放送信号は、復調部２において復調された後、デスクランブル処理が行われる。この場合、番組の契約情報やデスクランブル処理のためのキー情報などが書き込まれたメモリカードのＩ／Ｆがさらに設けられ、ＣＰＵ７はこのメモリカードから契約情報を読み出すとともに、復調部２は受信した放送信号中から契約情報を抽出して、ＣＰＵ７に供給する。ＣＰＵ７は、これらの契約情報を照合して、視聴可能と判断した場合にメモリカードからキー情報を読み取り、復調部２に供給する。復調部２は、供給されたキー情報を用いてデスクランブル処理を行う。
【００３９】
また、ＤＭＵＸ３において分離されたデータ放送用の付加情報は、入力Ｉ／Ｆ１３を通じたユーザからの操作入力に応じて、画像処理回路１５からの所定のＯＳＤ画像のデータとともに画像出力処理回路５に供給され、動画像とともに表示される。
【００４０】
次に、受信した放送コンテンツを例えばＨＤＤ１１に記録する場合には、ＤＭＵＸ３において分離された動画像ストリームおよび音声ストリームが、内部バス１６を通じてＨＤＤ１１に供給され、記録される。
【００４１】
また、ＨＤＤ１１に記録されたビデオコンテンツを再生する場合には、ＨＤＤ１１からこのビデオコンテンツに対応する動画像ストリームおよび音声ストリームが読み出されてＭＰＥＧデコーダ４に供給され、伸張復号化処理されて、画像信号および音声信号が外部に出力される。
【００４２】
なお、受信した放送コンテンツは、同様な処理により、光ディスク媒体１２ａに記録することもできる。また、光ディスク媒体１２ａに記録された画像・音声のデータを再生出力することもできる。
【００４３】
次に、メモリカード１０ａに記録されたフォトコンテンツを再生出力する場合には、メモリカード１０ａから読み出された静止画像の圧縮データが、ＣＰＵ７の処理により伸張復号化され、画像処理回路１５からの所定のＧＵＩ画像やＯＳＤ画像のデータとともに画像出力処理回路５に出力される。これにより、ＧＵＩ画像やＯＳＤ画像とともに静止画像が合成されて、外部のディスプレイにおいて再生出力される。
【００４４】
また、メモリカード１０ａから読み出した静止画像の圧縮データは、ＨＤＤ１１や光ディスク媒体１２ａに記録することもでき、さらにこれらに記録した静止画像の再生出力を行うことも可能である。さらに、メモリカード１０ａやＨＤＤ１１などに記録された静止画像データを順次読み出して、一定時間ごとに連続的に画像を再生させる“スライドショー”を実行することも可能である。
【００４５】
一方、Ｗｅｂコンテンツを表示させる場合には、通信Ｉ／Ｆ１４を通じてＷｅｂページのデータが受信されると、ＣＰＵ７の処理により受信データに基づく画像データが生成され、画像処理回路１５からの所定のＧＵＩ画像のデータとともに画像出力処理回路５に出力される。これにより、ＧＵＩ画像内の所定位置にＷｅｂページの画像が合成されて、外部のディスプレイにおいて再生出力される。
【００４６】
そして、このＷｅｂページ内の所定のリンクが入力Ｉ／Ｆ１３を通じて選択されると、このリンクに対応するＵＲＬ（Uniform Resource Locator）に対して通信Ｉ／Ｆ１４を介してアクセスされ、対応するＷｅｂページのデータが受信されて、同様に再生出力される。さらに、表示したＷｅｂページ内の所定のリンクを自動的に選択することで、一定時間ごとに自動的にＷｅｂページを遷移させることも可能である。以下、この機能を“自動リンク”と呼称することにする。
【００４７】
次に、図２は、上記の画像記録再生装置の主な機能構成を示すブロック図である。
図２に示すように、上記の画像記録再生装置は、主制御部２０、放送受信処理部３０、ビデオ記録再生処理部４０、フォト記録再生処理部５０、およびＷｅｂコンテンツ処理部６０を具備する。これらの機能ブロックは、ＲＯＭ８またはＨＤＤ１１に記憶され、ＣＰＵ７によって実行されるプログラムモジュールとして実現される。また、主制御部２０には、入力変換テーブル２１が接続されている。入力変換テーブル２１は、ＲＯＭ８またはＨＤＤ１１に格納されている。
【００４８】
主制御部２０は、入力Ｉ／Ｆ１３からの入力信号に対する処理や、上記の各コンテンツの分類に応じた動作制御など、画像記録再生装置の全体の動作を制御するための機能ブロックである。主制御部２０は、入力Ｉ／Ｆ１３からの入力信号に応じて、放送受信処理部３０やビデオ記録再生処理部４０、フォト記録再生処理部５０、Ｗｅｂコンテンツ処理部６０、画像処理回路１５などに制御信号を出力し、これらの動作を制御する。
【００４９】
また、入力変換テーブル２１は、リモートコントローラからの赤外線信号を受信した入力Ｉ／Ｆ１３からの入力情報を、再生するコンテンツの種類に応じた動作モードに応じて変換して処理するためのテーブルである。主制御部２０が、この入力変換テーブル２１を参照して動作を制御することにより、画像記録再生装置を操作するユーザは、後述するように、ＨＤＤ１１や光ディスク媒体１２ａに記録されたビデオコンテンツを再生出力する際と近い操作で、フォトコンテンツやＷｅｂコンテンツを再生出力させることが可能となる。
【００５０】
放送受信処理部３０は、上述したように、放送コンテンツを受信して伸張復号化し、再生信号を出力する動作を制御する機能ブロックであり、主制御部２０からの指示に応じて、チューナ１による選局や復調部２、ＤＭＵＸ３、ＭＰＥＧデコーダ４、画像出力処理回路５および音声出力処理回路６の動作制御を行う。また、受信した放送コンテンツをＨＤＤ１１や光ディスク媒体１２ａに記録する際には、ＤＭＵＸ３により分離された動画像ストリームおよび音声ストリームや付加情報を、ビデオ記録再生処理部４０に供給する。
【００５１】
ビデオ記録再生処理部４０は、上述したように、ＨＤＤ１１および光ディスク媒体１２ａに対して放送コンテンツを記録し、また各記録媒体に記録されたビデオコンテンツを読み出して再生出力するための機能ブロックである。記録時には、ＤＭＵＸ３により分離された動画像ストリームおよび音声ストリーム、付加情報の供給を受けて、各記録媒体に書き込む。また、再生時には、各記録媒体からデータを読み出し、動画像ストリームおよび音声ストリームについてはＭＰＥＧデコーダ４に供給する。
【００５２】
フォト記録再生処理部５０は、例えばデジタルスチルカメラなどで撮像された画像などのフォトコンテンツの再生やファイル管理などを行うための機能ブロックである。なお、本実施の形態では、フォトコンテンツのデータはＪＰＥＧ（Joint Photographic Experts Group）方式を用いた圧縮データとして記録されている。
【００５３】
Ｗｅｂコンテンツ処理部６０は、通信Ｉ／Ｆ１４を通じてアクセスしたＷｅｂページの画像を表示するための機能ブロックである。
図３は、フォト記録再生処理部５０のさらに詳細な機能構成を示すブロック図である。
【００５４】
図３に示すように、フォト記録再生処理部５０は、フォトコンテンツのデータファイル（以下、フォトファイルと呼称する）を管理するフォト管理部５１と、メモリカード１０ａの装着の有無を監視するメモリカード監視部５２と、フォトファイルのデータ変換などの処理を行う画像変換処理部５３とを具備する。
【００５５】
フォト管理部５１は、主制御部２０からの要求や、メモリカード監視部５２からの通知に応じて、メモリカード１０ａやＨＤＤ１１におけるフォトファイルなどのデータ読み出し・書き込みを制御し、メモリカード１０ａが装着されたときにその記憶データを一時的にＨＤＤ１１に保存する処理や、ＨＤＤ１１からのデータ読み出し、フォトファイルのスライドショー処理、ＨＤＤ１１内のフォトファイルの履歴管理などを実行する。
【００５６】
メモリカード監視部５２は、メモリカードＩ／Ｆ１０を通じてメモリカード１０ａが装着されたか否かを監視し、抜き差しが行われたときにフォト管理部５１に通知する。
画像変換処理部５３は、フォトファイルの伸張復号化やリサイズ、フォーマット変換などの処理を実行する。
【００５７】
このようなフォト記録再生処理部５０では、メモリカード１０ａやＨＤＤ１１に記録されたフォトファイルをスライドショーにより表示する際に、高速な画像の描画を実現するために、メモリカード１０ａに記憶されたフォトファイルは、メモリカードＩ／Ｆ１０へ装着されると自動的にＨＤＤ１１内に一時的に保存される。これとともに、図３に示すように、すべてのフォトファイルについて、ＨＤＤ１１内において、元のフォトファイル５０ａとともに、記憶されたフォトコンテンツを一覧表示する際に用いるサムネイル用ファイル５０ｂと、ディスプレイ表示用に最適化した表示用ファイル５０ｃとが生成され、当該フォトファイルのメタデータであるフォト情報ファイル５０ｄとともに関連付けて保存される。
【００５８】
具体的には、メモリカード１０ａが装着されると、フォト管理部５１は、メモリカード監視部５２からの通知を受けて、メモリカード１０ａ内のフォトファイルを自動的に順次読み込み、フォト情報ファイル５０ｄを生成して、フォトファイル５０ａとともにＨＤＤ１１内に一時ファイルとして保存する。これとともに、画像変換処理部５３に対して、当該フォトファイル５０ａのサムネイル用ファイル５０ｂおよび表示用ファイル５０ｃの生成を要求する。
【００５９】
画像変換処理部５３は、フォトファイル５０ａを伸張復号化処理し、さらにリサイズを行って、サムネイル用ファイル５０ｂおよび表示用ファイル５０ｃをＲＡＷ（生）形式で生成し、これらのファイルをフォトファイル５０ａに対応付けてＨＤＤ１１に一時ファイルとして保存する。なお、ＮＴＳＣ方式の場合、表示用ファイル５０ｃは７２０×４８０の画素数とされる。
【００６０】
そして、ユーザの操作入力により、メモリカード１０ａ内のフォトファイルの再生出力や、メモリカード１０ａ内の記録ファイルの一覧表示、フォトファイルの関連情報などが要求された場合には、フォト管理部５１は主制御部２０からの要求に応じて、ＨＤＤ１１内に保存した一時ファイルを読み出して、画像出力処理回路５に出力する。これにより、画像の表示の際に伸張復号化処理などを行う必要がなくなり、高速な表示が可能となる。特に、スライドショーによる再生出力が要求された場合には、ＨＤＤ１１内の表示用ファイル５０ｃを順次読み出すことで、ユーザにとってストレスのない画像表示がおこなわれる。
【００６１】
また、メモリカード１０ａ内のフォトファイルをＨＤＤ１１に転送して記録するように要求された場合は、フォト管理部５１の処理により、ＨＤＤ１１内にすでに保存された該当する一時ファイルが、恒久的に記録された状態に変更される。
【００６２】
さらに、記録されたフォトファイルのＨＤＤ１１への恒久的な記録が要求されないままでメモリカード１０ａが引き抜かれた場合には、フォト管理部５１は、メモリカード監視部５２からその旨の通知を受けて、ＨＤＤ１１内の該当する一時ファイルを消去する。また、このとき一時ファイルを消去せずに、再生出力が不可能な状態として保存しておき、後に同一のフォトファイルが記録されたメモリカード１０ａが再び装着されたときに、メモリカード１０ａからのデータ読み込みを行わずに、ＨＤＤ１１内の一時ファイルを用いて再生出力などを行うようにして、無駄な処理を省略することも可能である。
【００６３】
次に、図４は、Ｗｅｂコンテンツ処理部６０のさらに詳細な機能構成を示すブロック図である。
図４に示すように、Ｗｅｂコンテンツ処理部６０は、Ｗｅｂコンテンツのデータ管理を行うＷｅｂコンテンツ管理部６１と、Ｗｅｂページのブラウズ処理を行うＷｅｂブラウズ処理部６２と、外部のＷｅｂサーバとの通信を制御する通信制御部６３とを具備する。
【００６４】
Ｗｅｂコンテンツ管理部６１は、主制御部２０からの要求に応じて、ＨＤＤ１１内に初期表示設定データ６０ａを設定し、この初期表示設定データ６０ａ内の指示されたＵＲＬをＷｅｂブラウズ処理部６２を介して通信制御部６３に通知する。また、受信されたＷｅｂページのデータを、ＨＤＤ１１内のデータキャッシュ領域６０ｂに履歴として保存し、Ｗｅｂコンテンツの表示時にデータキャッシュ領域６０ｂを参照する。また、主制御部２０からの情報に応じて、表示中のＷｅｂページ内のリンクアンカーの選択位置をＷｅｂブラウズ処理部６２に通知する。
【００６５】
Ｗｅｂブラウズ処理部６２は、通信制御部６３により受信されたＷｅｂページのＨＴＭＬ（HyperText Markup Language）データを解析し、画像データを生成して画像出力処理回路５に出力する。このとき、所定のＧＵＩ画像のデータを出力するように、Ｗｅｂコンテンツ管理部６１および主制御部２０を介して画像処理回路１５に要求する。これにより、所定のＧＵＩ画像とＷｅｂページの画像とが合成された画像信号が出力される。
【００６６】
また、Ｗｅｂブラウズ処理部６２は、Ｗｅｂコンテンツ管理部６１からリンクアンカーの選択位置情報を受信して、リンクアンカーのフォーカス位置を変更する。そして、そのリンクアンカーに対応するＵＲＬをまずＷｅｂコンテンツ管理部６１に通知し、対応するＷｅｂページのデータがデータキャッシュ領域６０ｂに保存されていた場合はこれを受け取り、Ｗｅｂページの画像データを生成して出力する。また、対応するデータがデータキャッシュ領域６０ｂに保存されていなかった場合は、当該ＵＲＬを通信制御部６３に通知し、アクセスを要求する。そして、受信されたＷｅｂページのデータを基に、画像データを生成して出力する。
【００６７】
通信制御部６３は、Ｗｅｂブラウズ処理部６２からＵＲＬの通知を受けて、対応するＷｅｂサーバにアクセスするための必要な情報を生成し、通信Ｉ／Ｆ１４を通じてインターネット上に送信する。また、通信Ｉ／Ｆ１４を通じて受信した情報からＷｅｂページのデータを抽出し、Ｗｅｂブラウズ処理部６２に供給する。
【００６８】
ここで、Ｗｅｂコンテンツを表示させる際には、ユーザは、初期画面として表示させるＷｅｂページを複数登録しておくことが可能となっている。以下、このように登録されたＷｅｂページを初期表示ページと呼称する。これらの初期表示ページのＵＲＬは初期表示設定データ６０ａとして登録され、Ｗｅｂコンテンツの表示時には、初期表示設定データ６０ａから任意のＵＲＬを選択して、そのＷｅｂページを表示させることができる。そして、表示させたＷｅｂページ内のリンクアンカーを選択して、さらに別のＷｅｂページを表示させることができる。また、Ｗｅｂコンテンツの表示時には、データキャッシュ領域６０ｂにキャッシュされていたＷｅｂページについては、あらためて対応するＷｅｂサーバにアクセスすることなく、表示させることができる。
【００６９】
さらに、Ｗｅｂコンテンツ管理部６１の制御により、登録された初期表示ページを起点に、Ｗｅｂページ内の所定のリンクアンカーを自動的に選択して、次々にＷｅｂページを表示していく自動リンクを実行することも可能となっている。自動リンクの実行時には、Ｗｅｂページが一定時間ごとに連続して表示されるとともに、履歴を参照して表示してきた画面を逆方向に自動的に遷移させることもできる。
【００７０】
次に、図５は、ビデオコンテンツ、フォトコンテンツおよびＷｅｂコンテンツのファイル管理方法を模式的に説明するための図である。なお、各コンテンツの管理は、それぞれビデオ記録再生処理部４０、フォト記録再生処理部５０およびＷｅｂコンテンツ処理部６０の制御により行われる。
【００７１】
まず、図５に示すように、ビデオコンテンツを構成するデータファイル（図５ではビデオファイルと表記）は、カテゴリ別に管理される。カテゴリは、そのビデオコンテンツが属するジャンルを示しており、例えば、映画、スポーツ、ニュース、ドラマ、アニメーションなどに分類される。なお、このようなカテゴリ別の分類は、例えば受信した放送コンテンツのＨＤＤ１１や光ディスク媒体１２ａへの記録時に、その放送コンテンツの付加情報などから自動的にカテゴリを判別することで行われてもよい。また、ユーザの操作に応じて分類が行われてもよい。
【００７２】
一方、フォトコンテンツを構成するデータファイル（フォトファイル）は、フォルダに相当するアルバム単位で管理される。アルバム単位での分類は、ユーザの操作により任意に行うことができる。ただし、基本的には、メモリカード１０ａ内のフォトファイルと、ＨＤＤ１１内に恒常的に記録されたフォトファイルとは、別のアルバムの配下に管理されるものとする。
【００７３】
このような分類により、フォトコンテンツの表示時には、任意のアルバムを選択することで、そのアルバム内のフォトファイルを一定時間間隔で順に表示させて、スライドショーを実現することができる。すなわち、スライドショーは、アルバム単位で実行することが可能となる。
【００７４】
例えば、スライドショーの通常実行時には、各アルバム内の先頭のフォトファイルから順に、対応する表示用ファイル５０ｃを１０秒間隔で読み出し、再生表示させる。また、読み出しの時間間隔や方向を調整することで、動画像コンテンツにおける早送りやスロー再生、巻戻しなどに相当する動作を実行させることもできる。
【００７５】
また、Ｗｅｂコンテンツを構成するデータファイルは、Ｗｅｂページを次々に表示させていくのに伴い、ＨＤＤ１１内のデータキャッシュ領域６０ｂにおいて、初期表示設定データ６０ａに設定された初期表示ページ単位で蓄積される。例えば、初期表示ページ単位でフォルダが生成されて、各フォルダ内には先頭となる初期表示ページのデータファイルに続いて、その初期表示ページを起点にリンクが行われたリンク先のＷｅｂページのデータファイルが順次格納される。
【００７６】
ここで、初期表示ページ単位で管理する理由は、初期表示ページ単位で自動リンクが実行されるためである。すなわち、登録された中から任意に選択された初期表示ページを起点に、自動リンクが実行される。従って、図５のような分類により、すでに表示したＷｅｂページを容易に逆の順番で表示させることが可能となる。これにより、自動的に画面を遷移させる時間間隔や方向を調整することで、動画像コンテンツにおける早送りやスロー再生、巻戻しなどに相当する動作を実行させることができる。
【００７７】
なお、初期表示ページやその配下のリンク先のＷｅｂページの各データは、Ｗｅｂコンテンツを表示させるための動作モード時に一時ファイルとしてＨＤＤ１１内のデータキャッシュ領域６０ｂに生成され、例えば他の仮想チャンネルが選択される、あるいは電源が切断されるなどのタイミングで、それらの一時ファイルが消去される。また、逆に、上記タイミングの後にもデータキャッシュ領域６０ｂ内のＷｅｂページのデータファイルを保持しておいてもよく、これにより、その後に同じ初期表示ページが選択されたときに、データキャッシュ領域６０ｂに記憶されたリンクの順番で自動リンクを実行させることができる。
【００７８】
ところで、上記の画像記録再生装置では、以上のような放送コンテンツやビデオコンテンツ、フォトコンテンツ、Ｗｅｂコンテンツを表示させるために、仮想チャンネルという概念を用いる。仮想チャンネルは、図５に示すように、放送コンテンツ、ビデオコンテンツ内の各カテゴリ、フォトコンテンツ、およびＷｅｂコンテンツを単位として割り当てられる。これにより、フォトコンテンツやＷｅｂコンテンツのような非動画像コンテンツについても、従来のように複雑なメニュー操作などを行うことなく、放送コンテンツなどの動画像を用いたコンテンツと同じ次元で選択することが可能となる。
【００７９】
図６は、仮想チャンネルを選択する画面の表示例を示す図である。
図６の画面表示例では、コンテンツの表示部２０１の上に、仮想チャンネルを選択するための選択部２０２〜２０６がＯＳＤ表示されている。図６では例として、選択部２０２では放送コンテンツ（図中では“ＴＶ”と表記）を選択することが可能とされ、ビデオコンテンツのカテゴリとして選択部２０３および２０４でそれぞれ「映画」「スポーツ」を選択することが可能とされている。また、選択部２０５ではフォトコンテンツが選択可能とされ、選択部２０６ではＷｅｂコンテンツが選択可能とされている。
【００８０】
各選択部２０２〜２０６は、ユーザの操作によりフォーカス位置を変化させることで選択することができる。図６では例として、「スポーツ」のカテゴリを示す選択部２０４にフォーカスが合わせられており、この後に確定操作を行うことで、スポーツのカテゴリの配下のビデオコンテンツの再生が開始される。同様に、フォトコンテンツを示す選択部２０５を選択し、確定することで、所定のアルバムの１枚目のフォトファイルからスライドショーが開始される。あるいは、選択部２０５の選択に応じて、アルバムの一覧が表示されて、任意のアルバムやその中のフォトファイルを選択するようにしてもよい。さらに、Ｗｅｂコンテンツを示す選択部２０６を選択し、確定することで、所定の初期表示ページを起点として自動リンクが開始される。
【００８１】
このように、フォトコンテンツおよびＷｅｂコンテンツを、放送コンテンツやビデオコンテンツと同じ次元の仮想チャンネルに割り当てることにより、ユーザは、各種類のコンテンツを同じ操作で選択することが可能となる。従って、フォトコンテンツやＷｅｂコンテンツを選択する際に、固有の操作やメニュー画面などを用いた複雑な操作を行う必要がなくなり、ユーザの操作性が高まる。
【００８２】
また、仮想チャンネルとしてフォトコンテンツやＷｅｂコンテンツが選択されたときに、明示的な開始操作を行うことなく、各コンテンツの連続再生（スライドショーおよび自動リンク）を自動的に開始させることにより、ユーザは、放送コンテンツやビデオコンテンツの再生時と同様の感覚で、静止画像コンテンツを閲覧することが可能となる。
【００８３】
図７は、フォトコンテンツのスライドショー実行時の画面表示例を示す図である。
図７に示す画面は、図６に示す画面から、フォトコンテンツを示す選択部２０５を選択したときに遷移するスライドショーの画面である。図７の画面において、表示部２１１にはフォトコンテンツの画像が表示され、その上にユーザ操作に応じて、以下のような様々な情報を示すＯＳＤ画像を合成表示させることができる。
【００８４】
表示部２１２には、仮想チャンネルとして現在フォトコンテンツが選択されていることが表示され、表示部２１３には、現在選択されているアルバムのタイトルが表示されている。また、表示部２１４には、装着されているメモリカード１０ａおよびＨＤＤ１１内に格納されているフォトコンテンツのアルバム数と、現在選択されているアルバムの番号とが表示されている。
【００８５】
また、表示部２１５には、スライドショーの表示速度が表示され、図７の例では標準の速度であることが示されている。また、アイコン２１６は、現在実行されているスライドショーの動作状態を示し、図７の例では順方向への通常速度での再生中であることが示されている。また、スライドバー２１７は、現在表示中のフォトファイルが、格納されているアルバム中のどの位置にあるかを示しており、表示部２１８は、選択されているアルバム内のフォトファイルの数と、現在表示中のフォトファイルの番号とを示し、スライドバー２１７に連動してフォトファイルの番号が変化する。
【００８６】
また、表示部２１９には、ＨＤＤ１１の残容量が、ビデオコンテンツの記録時間やフォトファイルの枚数として表示されている。
図８は、Ｗｅｂコンテンツの自動リンク実行時の画面表示例を示す図である。
【００８７】
図８に示す画面は、図６に示す画面から、Ｗｅｂコンテンツを示す選択部２０６を選択したときに遷移するＷｅｂページの画面である。図８の画面において、表示部２２１にはＷｅｂページの画像が表示され、その上に以下のような様々な情報を示すＯＳＤ画像が合成表示される。
【００８８】
表示部２２２には、仮想チャンネルとして現在Ｗｅｂコンテンツが選択されていることが表示され、表示部２２３には、現在表示されているＷｅｂページのタイトルが表示されている。また、アイコン２２４は、現在実行されている自動リンクの動作状態を示し、図８の例では順方向の再生中であることが示されている。また、表示部２２５には、自動リンクの表示速度が表示され、図８の例では標準の速度であることが示されている。
【００８９】
ところで、表示部２２１のＷｅｂページの画像には、他のＷｅｂページへリンクするための複数のリンクアンカー２２１ａ〜２２１ｅが表示されている。また、図８の例では、リンクアンカー２２１ａがフォーカスされており、ユーザにより確定操作が行われると、このリンクアンカー２２１ａに対応するＵＲＬにアクセスして、次のＷｅｂページを表示させることができる。
【００９０】
自動リンクでは、フォーカスを与えるリンクアンカーの初期位置をＷｅｂページごとに決めておくことで、ユーザ操作によりリンクアンカーの位置指定を行うことなく、Ｗｅｂページを連続的にリンクさせて表示させる。リンクアンカーの初期位置は、例えば、ＷｅｂページのＨＴＭＬデータ中に記述される「ｔａｂｉｎｄｅｘ属性」を参照して設定することができる。
【００９１】
「ｔａｂｉｎｄｅｘ属性」は、例えばＰＣのキーボード上のＴＡＢキーなどを用いてＷｅｂページ上のリンクアンカーに対するフォーカス位置を順に移動させる際に、その順番を指定するための属性であり、ＨＴＭＬ―ｖｅｒ４．０では０〜３２７６７の範囲の任意の数値を割り当てることで、ＴＡＢキーにより数値の小さいリンクアンカーから順にフォーカス位置を移動させることが可能となっている。
【００９２】
従って、自動リンク実行時の初期フォーカス位置として、例えば「ｔａｂｉｎｄｅｘ属性」の数値が最も小さいリンクアンカーに設定しておくことで、自動的に次のＷｅｂページを表示させることが可能となる。これにより、静的なコンテンツであるＷｅｂコンテンツを、動画像コンテンツと同様な操作で閲覧することが可能となり、ユーザは大きな違和感を持つことなく、テレビ受像機を用いてＷｅｂコンテンツを閲覧することができる。
【００９３】
また、ユーザが初期フォーカス位置以外のリンクアンカーを選択したい場合には、カーソルキーの操作などにより「ｔａｂｉｎｄｅｘ属性」の数値の小さい順にフォーカス位置を移動させるようにし、その後に「ｔａｂｉｎｄｅｘ属性」が割り当てられていないリンクアンカーをさらに選択対象とすればよい。
【００９４】
次に、フォトコンテンツやＷｅｂコンテンツの再生時におけるユーザの操作について説明する。上記の各コンテンツの選択や表示、動作状態変更などのためのユーザの操作入力は、赤外線通信などを利用したリモートコントローラ１００を用いて主に行われる。
【００９５】
図９は、リモートコントローラ１００の外観を示す図である。
図９に示すリモートコントローラ１００は、電源キー１０１、録画キー１０２、番組表キー１０３、番組説明キー１０４、画面表示キー１０５、メニューキー１０６、タイトルキー１０７、カーソルキー１０８、フラッシュキー１０９、再生キー１１０、早送りキー１１１、巻戻しキー１１２、一時停止キー１１３、スローキー１１４、頭出しキー１１５、チャンネルキー１１６、およびテレビ音量キー１１７を具備している。
【００９６】
電源キー１０１は、画像記録再生装置の電源のオン／オフを指示するためのキーである。録画キー１０２は、受信中の放送コンテンツを記録媒体に記録させるためのキーである。番組表キー１０３、番組説明キー１０４および画面表示キー１０５は、表示中のコンテンツに関する様々な情報を表示させるためのキーである。
【００９７】
メニューキー１０６は、メニュー画面を表示させるためのキーであり、例えば後述する動作モードの切り換え画面などを表示させることができる。タイトルキー１０７は、記録媒体に記録されたコンテンツを確認するためのタイトル一覧を表示させるためのキーである。
【００９８】
カーソルキー１０８は、上下キー１０８ａおよび１０８ｂ、左右キー１０８ｃおよび１０８ｄ、決定キー１０８ｅを具備し、例えばメニュー画面上などのカーソルの移動および確定などを行うためのキーである。
【００９９】
フラッシュキー１０９、再生キー１１０、早送りキー１１１、巻戻しキー１１２、一時停止キー１１３、スローキー１１４および頭出しキー１１５は、コンテンツの再生に関する操作を行うためのキーである。なお、フラッシュキー１０９は、順方向側、逆方向側の操作をそれぞれ指定する操作キー１０９ａおよび１０９ｂからなる。
【０１００】
チャンネルキー１１６は、主に受信しているテレビジョン放送の選局を行うためのキーである。テレビ音量キー１１７は、スピーカやイヤホンなどから出力されている音量を調節するためのキーである。
【０１０１】
このように、リモートコントローラ１００には、従来の画像記録再生装置用のものと同様に、主に放送コンテンツおよびビデオコンテンツの録画・再生に特化された操作キーが設けられている。上記の画像記録再生装置では、これらの操作キーを用いて、静止画像コンテンツの連続再生（具体的にはフォトコンテンツのスライドショーおよびＷｅｂコンテンツの自動リンク）の操作も実現することで、従来とほぼ同様の感覚でこれらの操作を可能とする。各コンテンツの選択時の操作キーの割り当ては、入力変換テーブル２１に従って主制御部２０の処理により切り換えられる。
【０１０２】
ここで、表１に、入力変換テーブル２１の内容の例を示す。
【０１０３】
【表１】
2005184728.tif 000003
【０１０４】
上記の図６に示した仮想チャンネルの選択画面から、ビデオコンテンツのカテゴリが選択された場合には、ビデオ記録再生処理部４０の処理により、選択されたカテゴリ内の先頭のビデオコンテンツの再生が開始される。このとき、表１に示すように、上下キー１０８ａおよび１０８ｂにより、選択されたカテゴリ内のビデオファイルの切り換えが行われる。また、チャンネルキー１１６により、同様に当該カテゴリ内のビデオファイルが切り換えられる。すなわち、これらのキーにより、カテゴリ内の任意のビデオファイルを選択して、その先頭（または前回再生を停止した場所）から再生を開始させることができる。
【０１０５】
また、再生キー１１０によりビデオファイルの再生が開始され、早送りキー１１１および巻戻しキー１１２により、それぞれビデオファイルの早送り、巻戻しが行われる。また、一時停止キー１１３により再生が一時停止されて、画面が止まった状態となる。また、スローキー１１４により再生速度が低下され、頭出しキー１１５により、再生中のビデオファイルの先頭に戻って再生が再び開始される。
【０１０６】
また、フラッシュキー１０９の操作キー１０９ａおよび１０９ｂにより、それぞれ順方向、逆方向へのスキップ再生（例えば１５秒分だけ早送りおよび巻戻し）が行われる。また、番組表キー１０３により、選択されているカテゴリ内のビデオファイルを確認したり、あるいは選択するために、そのファイル名などが一覧表示される。また、番組説明キー１０４により、再生中のビデオファイルの付加情報が表示され、画面表示キー１０５により、例えば再生中のビデオファイルの経過時間など、再生動作に関する情報が表示される。
【０１０７】
これに対して、フォトコンテンツが選択された場合には、フォト記録再生処理部５０の処理によりスライドショーが開始され、所定のアルバム内のフォトファイルが次々と再生出力される。このとき、上下キー１０８ａおよび１０８ｂにより、メモリカード１０ａあるいはＨＤＤ１１に記録されたアルバムの切り換えが行われる。また、チャンネルキー１１６により、同様にアルバムが切り換えられる。このとき、切り換えられたアルバムの先頭のフォトコンテンツを起点に、スライドショーが開始される。このように上下キー１０８ａおよび１０８ｂやチャンネルキー１１６により、従来、放送コンテンツを視聴する際に放送チャンネルの切り換えを行うのと同様の操作で、記録されたアルバムを切り換えることが可能となる。
【０１０８】
また、再生キー１１０により、例えば一時停止時などにスライドショーが開始される。このとき、スライドショーの画像表示は通常速度（１０秒間隔）で行われる。
また、早送りキー１１１および巻戻しキー１１２により、スライドショーの表示間隔が短くなるように変更される。例えば、早送りキー１１１により順方向への表示間隔が変更されるが、このキーが押下されるたびに、表示間隔が６秒、３秒、１秒といったように変更される。また、巻戻しキー１１２により再生方向が逆転されるとともに、上記と同様に表示間隔が押下回数に応じて順次変更される。
【０１０９】
また、一時停止キー１１３により、スライドショーが一時停止されて、その時点で表示されたフォトファイルの画像が表示され続ける。さらに、スローキー１１４により、スライドショーの表示間隔が３０秒に変更されて、表示速度が低下される。また、頭出しキー１１５により、選択中のアルバム内の先頭のフォトファイルに戻って、スライドショーが再び開始される。また、フラッシュキー１０９の操作キー１０９ａおよび１０９ｂにより、当該アルバム内の直前および直後のフォトファイルがそれぞれ表示される。
【０１１０】
このように、スライドショーでは単に画像が連続的に再生されるだけでなく、様々な動作が行われるが、これらに対する動作制御の操作は、ビデオコンテンツの再生操作に感覚的に近いように設定されている。従って、ビデオコンテンツの再生操作に慣れたユーザも、操作に対して大きな違和感を受けることなく、フォトコンテンツを閲覧することができる。
【０１１１】
また、さらに番組表キー１０３や番組説明キー１０４、画面表示キー１０５を用いて、フォトコンテンツに関する様々な情報をＯＳＤ画像として表示させることが可能となっている。例えば、番組表キー１０３により、メモリカード１０ａやＨＤＤ１１に記録されているアルバムのアルバム名などが一覧表示され、番組説明キー１０４により、例えばフォトファイルのデータ量や撮影日時など、表示中のフォトファイルに関する情報の表示・非表示が切り換えられ、画面表示キー１０５により、現在表示中のフォトファイルが、選択されたアルバム内のどの位置にあるかを示す情報（例えば、図７のスライドバー２１７や表示部２１８に対応する）の表示・非表示が切り換えられる。
【０１１２】
また、Ｗｅｂコンテンツが選択された場合には、Ｗｅｂコンテンツ処理部６０の処理により自動リンクが開始される。自動リンクでは、Ｗｅｂページ内のリンクアンカーが自動的に選択されて、そのリンク先にジャンプされるが、リモートコントローラ１００の操作により、Ｗｅｂページ内の他のリンクアンカーにもフォーカスを移動させ、そのリンク先にジャンプすることも可能となっている。
【０１１３】
自動リンクの実行時には、上下キー１０８ａおよび１０８ｂにより、表示する初期表示ページの切り換えが行われる。また、チャンネルキー１１６により、同様に初期表示ページが切り換えられる。このとき、切り換えられた初期表示ページが表示され、この初期表示ページを起点に自動リンクが開始される。このように上下キー１０８ａおよび１０８ｂやチャンネルキー１１６により、従来、放送コンテンツを視聴する際に放送チャンネルの切り換えを行うのと同様の操作で、初期表示ページを切り換えることが可能となる。
【０１１４】
また、左右キー１０８ｃおよび１０８ｄにより、表示中のＷｅｂページ内のリンクアンカーに対するフォーカス位置が変更される。左右キー１０８ｃおよび１０８ｄが押下された場合には、例えば次のＷｅｂページにジャンプするまでの時間のカウントを数秒程度の間停止して、リンク先を探す間に意図しない次のＷｅｂページにジャンプしないようにしてもよい。
【０１１５】
また、再生キー１１０により、例えば一時停止時などに自動リンクが開始される。このとき、次のＷｅｂページにジャンプするまでの画像表示間隔は、通常間隔である３０秒とされる。
【０１１６】
また、早送りキー１１１および巻戻しキー１１２により、自動リンクの表示間隔が短くなるように変更される。例えば、早送りキー１１１により次のＷｅｂページへ順方向の表示間隔が変更されるが、このキーが押下されるたびに、表示間隔が１０秒、６秒といったように変更される（さらに押下されると、１０秒に戻る）。また、巻戻しキー１１２により、リンク方向が逆転されて直前のＷｅｂページが順次表示されるとともに、上記と同様に表示間隔が押下回数に応じて順次変更される。
【０１１７】
また、一時停止キー１１３により、自動リンクが一時停止されて、その時点で表示されたＷｅｂページの画像が表示され続ける。さらに、スローキー１１４により、自動リンクの表示間隔が６０秒に変更されて、表示速度が低下される。また、頭出しキー１１５により、このとき起点となっていた初期表示ページに戻り、そのときまでに遷移していた順に自動リンクが再び開始される。また、フラッシュキー１０９の操作キー１０９ａにより、表示中のＷｅｂページ内においてフォーカスされているリンクアンカーに対応するリンク先に強制的にジャンプされ、次のＷｅｂページが表示される。また、操作キー１０９ｂにより、直前のＷｅｂページが表示される。
【０１１８】
このように、自動リンクでも、単にＷｅｂページが連続的に自動表示されるだけでなく、様々な動作を行うことが可能であるが、これらに対する動作制御の操作は、フォトコンテンツの場合と同様に、ビデオコンテンツの再生操作に感覚的に近いように設定されている。従って、ビデオコンテンツの再生操作に慣れたユーザも、操作に対して大きな違和感を持つことなく、Ｗｅｂコンテンツを閲覧することができる。
【０１１９】
なお、さらに、フォトコンテンツの場合と同様に、番組表キー１０３により、登録されている初期表示ページのサイト名や制作者名、ＵＲＬなどを一覧表示させることができる。
【０１２０】
次に、フォトコンテンツのスライドショー、およびＷｅｂコンテンツの自動リンクの実行時における画像記録再生装置内の処理について、具体的に説明する。
まず、図１０は、コンテンツの再生時における主制御部２０の処理の流れを示すフローチャートである。
【０１２１】
コンテンツの再生時には、主制御部２０は、入力Ｉ／Ｆ１３からの入力信号に基づき、仮想チャンネルの変更操作の有無（ステップＳ１０１に対応）、および再生動作の操作のための入力の有無（ステップＳ１０４）を常時監視する。
【０１２２】
ステップＳ１０１において、入力Ｉ／Ｆ１３を通じて、リモートコントローラ１００から仮想チャンネルを変更するための入力を受けると、ステップＳ１０２に進む。この入力がない場合はステップＳ１０４に進む。
【０１２３】
ステップＳ１０２において、変更された仮想チャンネルに対応する処理部に対して、コンテンツを再生するための動作の開始を要求する。例えば、ビデオコンテンツのカテゴリが選択された場合は、ビデオ記録再生処理部４０に対して、当該カテゴリ内のビデオデータの再生出力を要求する。
【０１２４】
また、フォトコンテンツが選択された場合は、フォト記録再生処理部５０に対して、所定のアルバム内のフォトファイルを用いたスライドショーの実行開始を要求する。また、Ｗｅｂコンテンツが選択された場合は、Ｗｅｂコンテンツ処理部６０に対して、所定の初期表示ページを起点とした自動リンクの実行開始を要求する。
【０１２５】
ステップＳ１０３において、入力変換テーブル２１を参照する際の読み出し対象とするコンテンツの設定を、選択された仮想チャンネルに応じて変更する。この後、ステップＳ１０４に進む。
【０１２６】
ステップＳ１０４において、再生動作の操作入力を受けると、ステップＳ１０５に進む。また、この入力がない場合はステップＳ１０７に進む。
ステップＳ１０５において、入力変換テーブル２１を参照し、読み出し対象として設定されたコンテンツに対応する情報に基づいて、ステップＳ１０４で入力Ｉ／Ｆ１３から入力された信号に応じた制御信号を、動作中の処理部（例えば、ビデオ記録再生処理部４０やフォト記録再生処理部５０、Ｗｅｂコンテンツ処理部６０など）に出力する。これにより、出力先の処理部において、入力操作に応じた再生動作が実行される。
【０１２７】
ステップＳ１０６において、ステップＳ１０５で出力した制御信号に応じて実行された再生動作に伴い、処理部から、画面上のＯＳＤ画像を変化させるように要求されると、この要求に応じたＯＳＤ画像の生成および出力を、画像処理回路１５に対して要求する。これにより、実行された再生動作に応じて、ＯＳＤ画像上の表示情報が変化する。この後、ステップＳ１０７に進む。
【０１２８】
ステップＳ１０７において、例えば、電源キー１０１の押下などにより、再生動作の終了が要求されたか否かを判断し、要求されていない場合のみ、ステップＳ１０１に戻って処理を続行する。
【０１２９】
次に、図１１は、仮想チャンネルとしてフォトコンテンツが選択された場合のフォト記録再生処理部５０の処理の流れを示すフローチャートである。
ステップＳ２０１において、所定のアルバム内の先頭のフォトファイル（実際にはこのフォトファイルに関連付けられた表示用ファイル５０ｃ）をＨＤＤ１１から取得する。なお、このとき選択されるアルバムは、例えばそれ以前に最後にスライドショーが実行されたアルバムとされる。
【０１３０】
ステップＳ２０２において、取得したフォトファイルを画像出力処理回路５に出力し、画像信号の出力を要求する。
ステップＳ２０３において、画像の表示タイミングを得るためのタイマのカウント値をリセットする。
【０１３１】
ステップＳ２０４において、フラッシュキー１０９の押下を検出した場合にはステップＳ２０５に進み、そうでない場合はステップＳ２０８に進む。
ステップＳ２０５において、ステップＳ２０４で押下された操作キーの種類（操作キー１０９ａまたは１０９ｂ）に応じて、必要ならば画像の表示方向の設定を変更する。例えば、方向設定が順方向である場合に、逆方向の隣接ファイルの表示を要求する操作キー１０９ｂが押下された場合は、方向設定を逆方向に設定する。逆に、方向設定が逆方向である場合に、順方向の隣接ファイルの表示を要求する操作キー１０９ａが押下された場合は、方向設定を順方向に設定する。
【０１３２】
ステップＳ２０６において、タイマのカウントを終了させるための設定値が、通常値である１０秒でない場合には、その設定値を通常値に変更してもよい。
ステップＳ２０７において、方向設定に応じた方向に隣接するフォトファイル（表示用ファイル５０ｃ）を、ＨＤＤ１１から取得して、ステップＳ２０２に戻る。以上のステップＳ２０４〜Ｓ２０７、およびステップＳ２０２の処理により、アルバム内の直後または直前のフォトファイルをユーザ操作に応じて再生出力させることができる。
【０１３３】
また、ステップＳ２０８において、早送りキー１１１または巻戻しキー１１２の押下を検出した場合にはステップＳ２０９に進み、そうでない場合はステップＳ２１１に進む。
ステップＳ２０９において、必要に応じて方向設定を変更する。すなわち、順方向への表示時に巻戻しキー１１２が押下された場合、および逆方向への表示時に早送りキー１１１が押下された場合に、方向設定を変更する。
【０１３４】
ステップＳ２１０において、タイマ設定値を変更する。このとき、各キーについて１回押下されるたびに（すなわち、各キーについてステップＳ２１０が実行されるたびに）、タイマ設定値を６秒、３秒、１秒の順に変更する。これにより、タイマ設定値が通常時より短い間隔に設定される。この後、ステップＳ２１８に進む。
【０１３５】
また、ステップＳ２１１において、一時停止キー１１３の押下を検出した場合はステップＳ２１２に進み、そうでない場合はステップＳ２１５に進む。
ステップＳ２１２において、タイマのカウント動作を一時的に停止する。このとき、カウント値を保持するとともに、画像を表示させたままにする。
【０１３６】
ステップＳ２１３において、再生キー１１０が押下されるまで待機し、押下を検出すると、ステップＳ２１４に進む。これにより、再生キー１１０が押下されるまでの間、同じフォトファイルに基づく画像が表示される。
【０１３７】
ステップＳ２１４において、タイマのカウント動作を、保持していたカウント値から再開する。この後、ステップＳ２１８に進む。
なお、ステップＳ２１２の終了後に、例えばフラッシュキー１０９や早送りキー１１１、巻戻しキー１１２などが押下された場合には、それぞれのキー押下に基づく動作が行われてもよい。すなわち、これらのキーの押下がステップＳ２０４およびＳ２０８で検出された場合の処理が実行される。このとき、タイマのカウント動作が再開される。
【０１３８】
ステップＳ２１５において、再生キー１１０の押下を検出した場合はステップＳ２１６に進み、そうでない場合はステップＳ２１８に進む。このステップＳ２１５では、現在通常速度による順方向へのスライドショーが実行されていない場合（例えば早送りキー１１１や巻戻しキー１１２、スローキー１１４などの押下に基づく動作時）にのみ、ステップＳ２１６への遷移を行う。
【０１３９】
ステップＳ２１６において、方向設定が逆方向となっている場合には、方向設定を順方向に変更する。
ステップＳ２１７において、タイマ設定値を通常値である１０秒に変更する。これにより、通常速度による順方向へのスライドショーが実行される。この後、ステップＳ２１８に進む。
【０１４０】
ステップＳ２１８において、タイマのカウント値が設定値に達したか否かを判断し、達していない場合はステップＳ２１９に進み、達した場合はステップＳ２０７に進む。これにより、早送りキー１１１や巻戻しキー１１２、再生キー１１０の押下に応じて設定されたタイマ設定値が適用されてカウント動作が行われ、カウントが終了するとステップＳ２０７に進み、次のフォトファイルが読み出されてその画像が再生出力される。
【０１４１】
ステップＳ２１９において、例えば他の仮想チャンネルの選択や電源切断などの操作入力により、処理の終了が要求されたか否かを判断し、要求されていない場合はステップＳ２０４に戻る。
【０１４２】
なお、上記のフローチャートでは省略したが、例えば、スローキー１１４が押下された場合には、タイマ設定値が通常時より長い時間（３０秒）に設定されてステップＳ２１８に進み、これにより画像の表示間隔が長くされる。また、頭出しキー１１５が押下された場合には、選択されているアルバム内の先頭のフォトファイルを取得した後、ステップＳ２０２に進む。
【０１４３】
以上の処理により、動画像コンテンツの操作時と感覚的に似た操作により、フォトコンテンツの再生動作を制御することができる。従って、フォトコンテンツの再生動作制御用の操作キーをリモートコントローラ１００などに設ける必要がなくなるとともに、動画像コンテンツの操作に慣れたユーザが、特に新しい操作方法を覚えることなく、フォトコンテンツを手軽に閲覧することが可能となる。
【０１４４】
次に、図１２および図１３は、仮想チャンネルとしてＷｅｂコンテンツが選択された場合のＷｅｂコンテンツ処理部６０の処理の流れを示すフローチャートである。
ステップＳ３０１において、所定の初期表示ページのデータを取得する。具体的には、Ｗｅｂコンテンツ管理部６１が、初期表示設定データ６０ａを参照して、所定の初期表示ページのＵＲＬを取得する。なお、このとき選択される初期表示ページは、例えば、それ以前に最後に自動リンクが実行された初期表示ページとされる。
【０１４５】
そして、取得したＵＲＬに対応するＷｅｂページのデータがデータキャッシュ領域６０ｂに存在する場合には、このデータを読み出してＷｅｂブラウズ処理部６２に供給する。また、データキャッシュ領域６０ｂに存在しない場合や、例えばこの領域のデータの最終アクセス日時から所定期間以上経過している場合には、ＵＲＬをＷｅｂブラウズ処理部６２を介して通信制御部６３に供給し、アクセスを要求する。これにより、通信制御部６３は、供給されたＵＲＬからＷｅｂページのデータを受信して、Ｗｅｂブラウズ処理部６２に供給する。
【０１４６】
ステップＳ３０２において、Ｗｅｂブラウズ処理部６２の処理により、取得したデータを解析してＷｅｂページの画像データを生成し、その画像データを画像出力処理回路５に出力して、画像信号の出力を要求する。これにより、Ｗｅｂページの画像がディスプレイに表示される。
【０１４７】
ステップＳ３０３において、このとき表示中のＷｅｂページのデータがデータキャッシュ領域６０ｂに存在しない場合には、このデータをデータキャッシュ領域６０ｂに登録する。
【０１４８】
ステップＳ３０４において、画像の表示タイミングを得るためのタイマのカウント値をリセットする。
ステップＳ３０５において、フラッシュキー１０９のうち順方向を示す操作キー１０９ａの押下を検出した場合はステップＳ３０６に進み、そうでない場合はステップＳ３１１に進む。
【０１４９】
ステップＳ３０６において、タイマ設定値が通常値（３０秒）でない場合には、通常値に変更してもよい。
ステップＳ３０７において、このとき表示中のＷｅｂページにおいてフォーカスされているリンクアンカーに対応するＵＲＬのＷｅｂページのデータが、データキャッシュ領域６０ｂに存在するか否かを判断し、存在しない場合はステップＳ３０８に進み、存在する場合はステップＳ３１０に進む。
【０１５０】
ステップＳ３０８において、フォーカスされたリンクアンカーに対応するＵＲＬのＷｅｂページのデータを取得する。具体的には、ＵＲＬをＷｅｂブラウズ処理部６２を介して通信制御部６３に供給し、アクセスを要求する。これにより、通信制御部６３は、供給されたＵＲＬからＷｅｂページのデータを受信して、Ｗｅｂブラウズ処理部６２に供給する。
【０１５１】
ステップＳ３０９において、取得したデータ中から「ｔａｂｉｎｄｅｘ属性」の設定値を抽出し、その設定値が最小であるリンクアンカーをフォーカスさせる。この後、ステップＳ３０２に戻る。これにより、フォーカスされたリンクアンカーに対応するリンク先にジャンプし、次のＷｅｂページが表示される。このとき表示されたＷｅｂページでは、「ｔａｂｉｎｄｅｘ属性」の値が最小であるリンクアンカーがフォーカスされた状態となっている。
【０１５２】
ステップＳ３１０において、データキャッシュ領域６０ｂから対応するＷｅｂページのデータを取得する。すなわち、データキャッシュ領域６０ｂから読み出したデータが、Ｗｅｂブラウズ処理部６２に供給される。この後、ステップＳ３０２に戻り、次のＷｅｂページが表示される。
【０１５３】
また、ステップＳ３１１において、早送りキー１１１の押下を検出した場合はステップＳ３１２に進み、そうでない場合はステップＳ３１３に進む。
ステップＳ３１２において、タイマ設定値を変更する。このとき、各キーについて１回押下されるたびに（すなわち、各キーについてステップＳ３１２が実行されるたびに）、タイマ設定値を１０秒、６秒の順に変更する。これにより、タイマ設定値が通常時より短い間隔に設定される。この後、ステップＳ３０７に進み、通常より短い表示間隔で次のＷｅｂページが表示される。
【０１５４】
また、ステップＳ３１３において、フラッシュキー１０９のうち逆方向を示す操作キー１０９ｂの押下を検出した場合はステップＳ３１４に進み、そうでない場合はステップＳ３１６に進む。
【０１５５】
ステップＳ３１４において、タイマ設定値が通常値（３０秒）でない場合には、通常値に変更してもよい。
ステップＳ３１５において、データキャッシュ領域６０ｂから、このときフォーカスされているリンクアンカーに対応するＵＲＬのＷｅｂページのデータを取得する。すなわち、このデータを読み出してＷｅｂブラウズ処理部６２に供給する。そして、ステップＳ３０２に進み、直前に表示していたＷｅｂページの画像が表示される。
【０１５６】
また、ステップＳ３１６において、巻戻しキー１１２の押下を検出した場合はステップＳ３１７に進み、そうでない場合はステップＳ３１８に進む。
ステップＳ３１７において、タイマ設定値を変更する。このとき、各キーについて１回押下されるたびに（すなわち、各キーについてステップＳ３１７が実行されるたびに）、タイマ設定値を１０秒、６秒の順に変更する。これにより、タイマ設定値が通常時より短い間隔に設定される。この後、ステップＳ３１５に進み、通常より短い表示間隔で次のＷｅｂページが表示される。
【０１５７】
また、ステップＳ３１８において、左右キー１０８ｃまたは１０８ｄの押下を検出した場合はステップＳ３１９に進み、そうでない場合はステップＳ３２３に進む。
ステップＳ３１９において、タイマのカウント動作を停止する。このとき、カウント値を保持するとともに、画像を表示したままにする。
【０１５８】
ステップＳ３２０において、現在表示中のＷｅｂページのデータ中の「ｔａｂｉｎｄｅｘ属性」の設定値を参照して、左右キー１０８ｃが押下された場合は、上記の設定値が現在フォーカスされているリンクアンカーの設定値の次に高く設定されたリンクアンカーに、フォーカス位置を移動させる。また、左右キー１０８ｃが押下された場合は、次に低く設定されたリンクアンカーにフォーカス位置を移動させる。
【０１５９】
ステップＳ３２１において、決定キー１０８ｅ（またはフラッシュキー１０９のうちの操作キー１０９ａ）の押下を待機し、押下を検出するとステップＳ３２２に進む。
ステップＳ３２２において、移動されたフォーカス位置のリンクアンカーに対応するＵＲＬを現在のＷｅｂページのデータ中から取得し、このＵＲＬのＷｅｂページのデータを取得する。すなわち、このＵＲＬをＷｅｂブラウズ処理部６２を介して通信制御部６３に供給し、アクセスを要求する。これにより、通信制御部６３は、供給されたＵＲＬからＷｅｂページのデータを受信して、Ｗｅｂブラウズ処理部６２に供給する。そして、ステップＳ３０７に戻って、リンク先のＷｅｂページが表示される。
【０１６０】
なお、ステップＳ３２０の終了後に、例えば早送りキー１１１や巻戻しキー１１２、フラッシュキー１０９のうちの操作キー１０９ｂなどが押下された場合には、それぞれのキー押下に基づく動作が行われてもよい。すなわち、これらのキーの押下がステップＳ３１１、Ｓ３１６およびＳ３１３で検出された場合の処理が実行される。このとき、タイマのカウント動作が再開される。
【０１６１】
また、ステップＳ３２３において、一時停止キー１１３の押下を検出した場合はステップＳ３２４に進み、そうでない場合はステップＳ３２７に進む。
ステップＳ３２４において、タイマのカウント動作を一時的に停止する。このとき、カウント値を保持するとともに、画像を表示させたままにする。
【０１６２】
ステップＳ３２５において、再生キー１１０が押下されるまで待機し、押下を検出すると、ステップＳ３２６に進む。これにより、再生キー１１０が押下されるまでの間、同じフォトファイルに基づく画像が表示される。
【０１６３】
ステップＳ３２６において、タイマのカウント動作を、保持していたカウント値から再開する。この後、ステップＳ３２９に進む。
なお、ステップＳ３２４の終了後に、例えばフラッシュキー１０９の操作キー１０９ａおよび１０９ｂ、早送りキー１１１、巻戻しキー１１２などが押下された場合には、それぞれのキー押下に基づく動作が行われてもよい。すなわち、これらのキーの押下がステップＳ３０５、Ｓ３１３、Ｓ３１１およびＳ３１６でそれぞれ検出された場合の処理が実行される。このとき、タイマのカウント動作が再開される。
【０１６４】
ステップＳ３２７において、再生キー１１０の押下を検出した場合はステップＳ３２８に進み、そうでない場合はステップＳ３２９に進む。このステップＳ３２７では、現在通常速度による順方向への自動リンクが実行されていない場合（例えば早送りキー１１１や巻戻しキー１１２、スローキー１１４などの押下に基づく動作時）にのみ、ステップＳ３２８への遷移を行う。
【０１６５】
ステップＳ３２８において、タイマ設定値を通常値である３０秒に変更する。そして、ステップＳ３２９に進む。
ステップＳ３２９において、タイマのカウント値が設定値に達したか否かを判断し、達していない場合はステップＳ３３０に進み、達した場合はステップＳ３０７に進む。これにより、フラッシュキー１０９や早送りキー１１１、巻戻しキー１１２、再生キー１１０の押下に応じて設定されたタイマ設定値が適用されてカウント動作が行われ、カウントが終了するとステップＳ３０７に進み、次のＷｅｂページが表示される。
【０１６６】
ステップＳ３３０において、例えば他の仮想チャンネルの選択や電源切断などの操作入力により、処理の終了が要求されたか否かを判断し、要求されていない場合はステップＳ３０５に戻る。
【０１６７】
なお、以上の処理では、リンクアンカーを選択するために「ｔａｂｉｎｄｅｘ属性」の値を用いたが、他の方法によりリンク先を自動的に選択してもよい。例えば、表示させたＷｅｂページのＨＴＭＬのソースコードをスキャンして、最初に現れるリンク先のＵＲＬを抽出して次のリンク先を決定してもよい。あるいは、リンクアンカーに対応づけたＵＲＬに選択の際の優先順位を識別する情報をあらかじめ含めておき、そのＵＲＬに基づいて次のリンク先を決定してもよい。
【０１６８】
以上の処理により、動画像コンテンツの操作時と感覚的に似た操作により、Ｗｅｂコンテンツを閲覧するための動作を制御することができる。従って、Ｗｅｂコンテンツの再生動作制御用の操作キーをリモートコントローラ１００などに設ける必要がなくなるとともに、ビデオコンテンツやフォトコンテンツを含む異なるコンテンツの間で操作手順がほぼ統一され、ユーザの操作性が高まる。
【０１６９】
また、自動的にリンクアンカーが選択されて、Ｗｅｂページが遷移していくので、ユーザの選択操作の負担が軽減されるとともに、Ｗｅｂコンテンツの制作者側にとって、意図を反映させやすくなる。
【０１７０】
なお、以上の図１１〜図１３のフローチャートのステップＳ２０４，Ｓ２０８，Ｓ２１１，Ｓ２１３，Ｓ２１５，Ｓ３０５，Ｓ３１１，Ｓ３１３，Ｓ３１６，Ｓ３１８，Ｓ３２１，Ｓ３２３，Ｓ３２５およびＳ３２７では、キー操作の対応をわかりやすく説明するために押下されたキーを判断するように記述したが、実際にはこのような判断は主制御部２０において行われるものである。
【０１７１】
また、本発明は、例えば、上記のような画像記録再生装置と、画像を表示するディスプレイや音声を出力するアンプやスピーカなどが一体とされた装置に適用することも可能である。
【０１７２】
また、上記の画像記録再生装置では、数時間といった長時間のビデオコンテンツなどとともに、フォトコンテンツやＷｅｂコンテンツのデータなどの一時ファイルを蓄積することが可能な記録媒体として、ＨＤＤを設けたが、他の記録媒体を適用してもよい。ただし、この記録媒体としては、比較的大容量で、かつ、高速なランダムアクセスが可能であることが望ましい。
【図面の簡単な説明】
【０１７３】
【図１】本発明の実施の形態に係る画像記録再生装置の内部構成を示すブロック図である。
【図２】画像記録再生装置の主な機能構成を示すブロック図である。
【図３】フォト記録再生処理部のさらに詳細な機能構成を示すブロック図である。
【図４】Ｗｅｂコンテンツ処理部のさらに詳細な機能構成を示すブロック図である。
【図５】ビデオコンテンツ、フォトコンテンツおよびＷｅｂコンテンツのファイル管理方法を模式的に説明するための図である。
【図６】仮想チャンネルを選択する画面の表示例を示す図である。
【図７】フォトコンテンツのスライドショー実行時の画面表示例を示す図である。
【図８】Ｗｅｂコンテンツの自動リンク実行時の画面表示例を示す図である。
【図９】リモートコントローラの外観を示す図である。
【図１０】コンテンツの再生時における主制御部の処理の流れを示すフローチャートである。
【図１１】仮想チャンネルとしてフォトコンテンツが選択された場合のフォト記録再生処理部の処理の流れを示すフローチャートである。
【図１２】仮想チャンネルとしてＷｅｂコンテンツが選択された場合のＷｅｂコンテンツ処理部の処理の流れを示す第１のフローチャートである。
【図１３】仮想チャンネルとしてＷｅｂコンテンツが選択された場合のＷｅｂコンテンツ処理部の処理の流れを示す第２のフローチャートである。
【符号の説明】
【０１７４】
１……チューナ、２……復調部、３……ＤＭＵＸ、４……ＭＰＥＧデコーダ、４ａ……メモリ、５……画像出力処理回路、６……音声出力処理回路、７……ＣＰＵ、８……ＲＯＭ、９……ＲＡＭ、１０……メモリカードＩ／Ｆ、１０ａ……メモリカード、１１……ＨＤＤ、１２……光ディスクドライブ、１２ａ……光ディスク媒体、１３……入力Ｉ／Ｆ、１４……通信Ｉ／Ｆ、１５……画像処理回路、１６……内部バス、２０……主制御部、２１……入力変換テーブル、３０……放送受信処理部、４０……ビデオ記録再生処理部、５０……フォト記録再生処理部、６０……Ｗｅｂコンテンツ処理部
【図１】
2005184728.tif 000004
【図２】
2005184728.tif 000005
【図３】
2005184728.tif 000006
【図４】
2005184728.tif 000007
【図５】
2005184728.tif 000008
【図６】
2005184728.tif 000009
【図７】
2005184728.tif 000010
【図８】
2005184728.tif 000011
【図９】
2005184728.tif 000012
【図１０】
2005184728.tif 000013
【図１１】
2005184728.tif 000014
【図１２】
2005184728.tif 000015
【図１３】
2005184728.tif 000016